Podtech/llm-jp-corpus-v4-ja_patent huggingface dataset:
(57)【要約】      （修正有）【課題】開放型の立体巻鉄心乾式変圧器における、含浸工程の処理を行う必要がなく、工程のプロセスを節約するコイル構造を提供する。【解決手段】コイル構造は、導線を巻き付けて形成されるパンケーキコイル１および固定部品２を含む。固定部品２にパンケーキコイル１を固定するくぼみを設け、固定部品２がパンケーキコイル１を固定し、周回してコイル構造を形成する。導線の外側を、絶縁塗料を含んだ絶縁紙で包み、絶縁塗料が導線の間と、パンケーキコイル１及び固定部品２の間を一緒に接着して、全体構造を形成する。【選択図】図１
2016032094.tif 000002
【特許請求の範囲】
【請求項１】
導線を巻き付けて形成されるパンケーキコイルおよび固定部品を含み、前記固定部品にパンケーキコイルを固定するくぼみを設け、固定部品がパンケーキコイルを固定し、周回してコイル構造が形成される、開放型の立体巻鉄心乾式変圧器におけるコイル構造であって、前記導線の外層を、絶縁塗料を含んだ絶縁紙で包み、絶縁塗料が導線の間と、パンケーキコイルおよび固定部品の間を一緒に接着させて、全体構造が形成されることを特徴とする、コイル構造。
【請求項２】
前記固定部品のくぼみを等距離に設置し、それによりパンケーキコイルの間を隔て、気流通路が形成されることを特徴とする、請求項１に記載の開放型の立体巻鉄心乾式変圧器におけるコイル構造。
【請求項３】
前記固定部品が絶縁材質であることを特徴とする、請求項１または２に記載の開放型の立体巻鉄心乾式変圧器におけるコイル構造。
【請求項４】
前記コイル構造が、絶縁筒または変圧器本体に固定されることを特徴とする、請求項１に記載の開放型の立体巻鉄心乾式変圧器におけるコイル構造。
【発明の詳細な説明】
【技術分野】
【０００１】
本発明は電力設備の技術分野に関し、特に開放型の立体巻鉄心乾式変圧器におけるコイル構造である。
【背景技術】
【０００２】
現在、従来の開放型変圧器のコイル構造は、コイルを巻き付けた後、まず真空乾燥を行う必要があり、乾燥終了後のコイルは、真空圧力設備中で真空含浸工程の処理を行う。含浸後にさらに滴下含浸および乾燥処理が必要であり、それによりコイルの防湿性および電気性能を保証する。この工程の時間は長く、滴下含浸過程で大量の絶縁塗料を浪費する。さらに、工程の効率が低く、生産コストが増加する。
【発明の概要】
【発明が解決しようとする課題】
【０００３】
上記技術的問題を解決するため、本発明で提供する開放型の立体巻鉄心乾式変圧器におけるコイル構造は、コイルの含浸工程の時間が長く、絶縁塗料の浪費が深刻な問題を解決し、生産効率を大幅に向上させる。
【課題を解決するための手段】
【０００４】
上記目的を実現するため、本発明が採用する技術案は次の通りである。
【０００５】
開放型の立体巻鉄心乾式変圧器におけるコイル構造は、導線を巻き付けて形成されるパンケーキコイルおよび固定部品を含む。上記固定部品にパンケーキコイルを固定するくぼみを設け、固定部品がパンケーキコイルを固定し、周回してコイル構造が形成される。上記導線の外層を、絶縁塗料を含んだ絶縁紙で包み、絶縁塗料が導線の間と、パンケーキコイルおよび固定部品の間を一緒に接着させて、全体構造が形成される。
【０００６】
好ましくは、上記固定部品のくぼみを等距離に設置し、それによりパンケーキコイルの間を隔て、気流通路が形成される。
【０００７】
好ましくは、上記固定部品は絶縁材質である。
【０００８】
好ましくは、上記コイル構造は、絶縁筒または変圧器本体に固定される。
【発明の効果】
【０００９】
本発明の有益な効果は次の通りである。パンケーキコイルは、絶縁塗料に浸した絶縁紙で包んだ導線を巻き付けて形成される。固定部品がパンケーキコイルを固定してコイル構造が形成され、さらに含浸工程の処理を行う必要はなく、工程のプロセスを節約する。さらに絶縁紙の絶縁塗料により、導線の間と、パンケーキコイルおよび固定部品の間が相互に接着され、構造が安定して堅固になり、電力設備が要求する電気性能、機械性能および絶縁性能に達するのを確実に保証する。
【図面の簡単な説明】
【００１０】
以下に、添付図を組み合わせて、本発明の具体的実施方式についてさらなる説明を行う。
【図１】図１は、本発明におけるコイル構造の概要図である。
【図２】図２は、本発明におけるコイル構造の組合せ概要図である。
【発明を実施するための形態】
【実施例１】
【００１１】
図１および図２を参照されたい。本発明で提供する開放型の立体巻鉄心乾式変圧器におけるコイル構造は、パンケーキコイル１および固定部品２を含む。当該パンケーキコイル１は、外層を絶縁紙で包んだ導線を巻き付けて形成されるものであり、絶縁紙は予め絶縁塗料に浸漬させる処理を行い、絶縁紙の内部および表面に要求する絶縁塗料の含量を浸透させており、絶縁紙は導線の間の絶縁性を保証する。固定部品２にパンケーキコイル１を固定するくぼみを設け、固定部品２がパンケーキコイル１を固定し、周回してコイル構造が構成される。くぼみを等距離に設置し、それによりパンケーキコイル１の間を隔て、気流通路３が形成され、放熱に有利である。さらに絶縁紙もパンケーキコイル１と固定部品２との間の絶縁性を保証する。コイルの巻き付けが終了した後、一定の温度範囲内で要求する時間を経過すると、絶縁塗料は導線の間と、パンケーキコイル１および固定部品２の間を相互に接着させることができ、コイル構造が統合体を形成し、要求する電気性能、機械性能および絶縁性能に達する。上記のコイル構造を絶縁筒または変圧器本体のその他の部材に固定し、変圧器の正常稼働または非正常稼働以外のその他の状況のときに、コイルの軸方向の電動力を減少させることができる。当該構造は三角形に配列して三相コイル構造を構成し、開放型の三相乾式変圧器に適用され、変圧器が要求する電気性能、機械性能および絶縁性能に達する。
【００１２】
以上の記載は、本発明の好ましい実施例に過ぎず、本発明は上記実施方式の構造に限定されない。同様の手段で本発明の技術的効果に達すれば、いずれも本発明の保護範囲に属するべきである。
【符号の説明】
【００１３】
１：パンケーキコイル
２：固定部品
３：気流通路
【図１】
2016032094.tif 000003
【図２】
2016032094.tif 000004
(57)【要約】      （修正有）【課題】殺菌効果のある自動巻取り式の機能を持ったフィルターを内蔵したダクトの提供。【解決手段】ダクト内のフィルターの負荷を圧力センサー１により自動で感知し、自動で巻取りして新しいフィルター５に交換する機能を設け、さらにフィルターにダクト内の湿度低下を検知し、自動で酸性電解水を噴霧する機能、室内の空気をより強く吸引するために、ファン６により吸引する機能及びダクト内のフィルター５はＷ型に配置する形態を用いたフィルター５内臓ダクト。【選択図】図１
2016137478.tif 000002
【特許請求の範囲】
【請求項１】
ダクト内のフィルターの機能低下を感知するための圧力センサーにより、フィルターの目詰まりを自動で検知し、自動でフィルターを巻き取って新しいフィルターに交換する機能を設ける。
【請求項２】
ダクト内のフィルターをＷ型に設置し、平面にフィルターを設置するよりも捕集効率を高めるための機能を設ける。
【請求項３】
ダクト内の湿度低下を自動で検知する湿度センサーを有し、電解水生成装置で生成された殺菌効果のある酸性電解水を自動的にフィルターに噴霧するための機能を設ける。
【請求項４】
ファンを設置して空気を強く吸い込むことで、従来よりも広いエリアの換気を行うことが可能となる機能を設ける。
【発明の詳細な説明】
【技術分野】
【０００１】本発明は、殺菌効果のある自動巻取り式の機能を持ったフィルターを内蔵したダクトと、それを構成する装置との組み合わせに関するものである。
【背景技術】
【０００２】従来は、ダクト内のフィルターに負荷がかかっているか判断する場合、人の感覚に頼っていた。また、フィルターにはゴミや塵を捕集する効果しかなかった。
【発明の概要】
【発明が解決しようとする課題】
【０００３】これまでは、次のような欠点があった。
従来、ダクトの中のフィルターにゴミや塵が詰まって負荷がかかっているかどうかを判断する場合、人の感覚に頼っていた。また、人が手動で交換を行っていたため、時間と労力を要し、フィルターの交換を忘れたり、遅れたりすることがあった。また、従来は狭い家庭用の部屋が主な対象であった。【０００４】本発明は、このような従来の構成が有していた問題を解決しようとするものである。
【課題を解決するための手段】
【０００５】本発明は上記目的を達成するために、ダクト内のフィルターの負荷を自動で感知し、自動で巻取りして新しいフィルターに交換する機能を設けた。また、フィルターに自動で酸性電解水を噴霧する機能を設けた。さらに、室内の空気をより強く吸引するために、ファンにより吸引する機能を設けた。ダクト内のフィルターはＷ型に配置する形態を用いた。
【発明の効果】
【０００６】上述したような手段を用いることにより、ダクト内のフィルターが目詰まりを起こして機能を低下させる前に自動でフィルターを交換することが可能になった。フィルターに噴霧した酸性電解水の殺菌効果により、従来のゴミや塵のほかインフルエンザなどの人体に有害な菌も同時に捕集して、部屋に新鮮で殺菌された空気を提供することが可能になった。また、フィルターをＷ型に配置することで、平面にフィルターを設置するよりも、ゴミや塵や菌などの捕集効率が向上した。さらに、ファンにより室内の空気を吸い込む機能を設けることで、従来よりも広いスペースの病院や介護施設、工場などを対象とすることが可能となった。
【図面の簡単な説明】
【０００７】
【図１】本発明の断面図である。
【図２】本発明の全体図である。
【発明を実施するための形態】
【０００８】以下、本発明を実施するための形態について図１の１〜５に基づいて説明する。
図１の１は、フィルターの負荷を検知するための圧力センサーであり、フィルターの目詰まりを検知し、自動でフィルターを巻き取って新しいフィルターを供給するものである。
【０００９】図１の２は、殺菌効果のあるある酸性電解水を生成するための電解水生成装置であり、図１の３の湿度センサーによりダクト内の湿度低下を検知し図１の４の噴霧装置よりアルカリイオン水を噴霧してフィルターに付着させることで、フィルター表面を通過する空気に含まれるゴミや塵のほかインフルエンザなどの空気中の菌を捕集するものである。
【００１０】図１の５のように、ダクト内のフィルターをＷ型に配置することで、フィルターを平面状に１枚配置するよりも、ダクト内を通過する空気中に存在するゴミや塵や菌などの捕集効率を２倍から４倍程度向上させることが可能となった。
【００１１】図１の６のファンにより空気を吸引することにより、個人用などの居宅のほか、病院や介護施設、工場などの従来より広いスペースの施設を対象とすることが可能となった。
【符号の説明】
【００１２】１  圧力センサー
２  電解水生成装置
３  湿度センサー
４  噴霧装置
５  Ｗ型に配置したフィルター
６  ファン
【図１】
2016137478.tif 000003
【図２】
2016137478.tif 000004
(57)【要約】【課題】鎖骨近辺に生じる痛みを大幅に軽減可能とする肩掛けベルトを提供する事を目的とする。【解決手段】肩掛けベルト１は一端側に配置され、所定方向に延びる第１本体２と、肩掛けベルト１の、他端側に配置され、所定方向に延びる第２本体３と、一端が第１本体２に接続され、所定方向に対して２５度から１５５度の範囲に屈曲して延びる第１折れ部４と、一端が第２本体３に接続され、所定方向に対して２５度から１５５度の範囲に屈曲して延びる第２折れ部５とを備え、第１折れ部４及び第２折れ部５は、その他端が互いの他端に接続されている。【選択図】図２
2016137197.tif 000002
【特許請求の範囲】
【請求項１】
両端に物品が取り付けられる肩掛けベルトであって、肩掛けベルトの一端側に配置され、所定方向に延びる第１本体と、肩掛けベルトの他端側に配置され、所定方向に延びる第２本体と、一端が第１本体に接続され、所定方向に対して２５度から１５５度の範囲に屈曲して延びる第１折れ部と、一端が第２本体に接続され、所定方向に対して２５度から１５５度の範囲に屈曲して延びる第２折れ部を備え、第１折れ部及び第２折れ部は、その他端が互いの他端に接続されていることを特徴とする肩掛けベルト。
【発明の詳細な説明】
【技術分野】
【０００１】
本発明は、両端に物品が取り付けられる肩掛けベルトに関するものである。
【背景技術】
【０００２】
かばんのショルダーベルト使用時やリュック型を背負う場合、一般的に肩にベルトを掛けて使用されている。
形状的には胸部から肩上部を背中に、数十年来、直線に近い形状をしており、実用上十分で疑う事のないものであった。
【０００３】
しかし、重量物を運ぶ際には、特に肩に負担が掛かり、痛みの緩和を図る為、鎖骨接触部材の厚みを増したり、幅広くしたが、さらに重くなる欠点と鎖骨をより広範囲に上から圧迫する問題が残っていた。
例えば特許文献１には、解決手段として肩ベルトが提案されている。
【先行技術文献】
【特許文献】
【０００４】
【特許文献１】特開２００７−１５２０７０号
【発明の概要】
【発明が解決しようとする課題】
【０００５】
しかしながら、特許文献１の肩ベルトは、クッション材を設けているものの、長時間使用すると鎖骨近辺に痛みが生じていた。
【０００６】
本発明は、鎖骨近辺に生じる痛みを大幅に軽減し、可能な肩掛けベルトを提供する事を目的とする。
【課題を解決するための手段】
【０００７】
両端に物品が取り付けられる肩掛けベルトであって、肩掛けベルトの一端側に配置され、所定方向に延びる第１本体と、肩掛けベルトの他端側に配置され、所定方向に延びる第２本体と、一端が第１本体に接続され、所定方向に対して２５度から１５５度の範囲に屈曲して延びる第１折れ部と、一端が第２本体に接続され、所定方向に対して２５度から１５５度の範囲に屈曲して延びる第２折れ部とを備え、第１折れ部及び第２折れ部は、その他の端が互いの他端に接続されている肩掛けベルトとする。
【発明の効果】
【０００８】
本発明によれば、鎖骨近辺に生じる痛みを大幅に軽減可能な肩掛けベルトを提供できる。
【図面の簡単な説明】
【０００９】
【図１】は、本発明の実施形態に係る肩掛けベルトの使用状態を示す図である。（Ａ）は、正面側から見た図である。（Ｂ）は、背面側から見た図である。
【図２】は、肩掛けベルトの平面図である。
【図３】は、肩掛けベルトの変形例を説明する図である。
【図４】は、肩掛けベルトの変形例を説明する図である。
【図５】は、肩掛けベルトの変形例を説明する図である。
【図６】は、肩掛けベルトの変形例を説明する図である。
【図７】は、肩掛けベルトの変形例を説明する図である。
【図８】は、肩掛けベルトの変形例を説明する図である。
【発明を実施するための形態】
【００１０】
両端に物品が取り付けられる肩掛けベルト１を説明する。肩掛けベルト１は一端側に配置され、所定方向に延びる第１本体２と、肩掛けベルト１の、他端側に配置され、所定方向に延びる第２本体３と、一端が第１本体２に接続され、所定方向に対して２５度から１５５度の範囲に屈曲して延びる第１折れ部４と、一端が第２本体３に接続され、所定方向に対して２５度から１５５度の範囲に屈曲して延びる第２折れ部５とを備え、第１折れ部４及び第２折れ部５は、その他端が互いの他端に接続されている。図１に示す実施形態では、第１折れ部４と第２折れ部５とは、第１本体２が伸びる所定方向に対して２５度屈曲して延びている。なお、肩掛ベルト１は、複数の材料を縫い合わせて形成してもよいし、一本の材料を屈曲させて形成してもよく、材質は布、合皮、皮、合成繊維等の任意の素材で形成することができる。図３から図８は実施形態に係わる肩掛けベルト１の変形例を示している。図１（Ａ）の示すバック型の肩掛けベルト４の適正角度は２５度から９０度、図８の示すリュック型の肩掛けベルト４の適正角度は２５度から１５５度である。
【００１１】
肩掛けベルトは、図３及び図４に示すように、第１折れ部４及び第２折れ部５を中央に所定間隔を空けて一対で設けてもよい。また、肩掛けベルト１は、図４に示すように、一対の第１折れ部４及び第２折れ部５の中央を連結する補助部６を設けてもよい。
【００１２】
本実施形態の肩掛けベルト１は、角度を付けて肩を斜めに通過するため、圧迫の軽減と力点の分散による、すなわちベルトの通る位置を一旦肩の左右にずらす事で鎖骨に掛かる負担軽減を図り、痛みを低減し長時間使用を可能にする。さらに、鎖骨中央付近の凹凸部分を迂回した事により接触が密着し、接触面積増大によるずれ防止と、ベルトと肩とのフィット感が向上し、バックの保持を高めることができる。
【符号の説明】
【００１３】
１    肩掛けベルト
２    第１本体
３    第２本体
４    第１折れ部
５    第２折れ部
６    補助部
【図１】
2016137197.tif 000003
【図２】
2016137197.tif 000004
【図３】
2016137197.tif 000005
【図４】
2016137197.tif 000006
【図５】
2016137197.tif 000007
【図６】
2016137197.tif 000008
【図７】
2016137197.tif 000009
【図８】
2016137197.tif 000010
(57)【要約】【課題】コットンやシルク、ガーゼ等、既製の模様のある布地の花や鳥などの図柄を生かし、奥行きのある立体的な額画を制作する事を目的としている【解決の手段】布地を厚地のビニール或いはパーチメント紙等の上に布地を平らに広げ、布地の厚さを考慮して薄めてある硬化剤を万遍なく布地に塗り広げて行き、そのままの状態でしっかりと乾燥させ、その後１７０度位の高熱にしたアイロン等でしっかりと熱を加え硬化を安定させ、その布地を利用しての額画の制作をする【特許請求の範囲】
【請求項１】
既製の布地、コットンやシルクの生地の図柄を生かし、その図柄を硬化剤により硬化させ、切り抜き、数枚を立体的に貼り付け、組み立てて行き奥行きのある
額画を制作する手芸の方法
【発明の詳細な説明】
【技術分野】
【０００１】既製の布地、コットンやシルク、ガーゼ等生地の図柄を生かし立体的アート額画を制作する手芸方法
【発明の概要】
【発明が解決しようとする課題】
【０００２】ハンカチやスカーフ、或いは既製の布地には日本独自の花や鳥等の美しい模様や図柄があります。それら気にいった図柄、記念になる図柄を生かして立体的な３Ｄ額画を制作する
【発明を解決するための手段】
【０００３】既製の布地、ハンカチ等を厚地のビニール，パーチメント紙の上に平らに広げ、濃度を調整した硬化剤（布地の厚さにより５０パーセントから７０パーセントくらいの濃さに薄める）を刷毛で全面に万遍なく均等に塗って行く。その後、そのままの状態で自然乾燥させ、完全に乾いたらアイロンで１７０度位の高度の熱を加えしっかり伸ばし硬化を安定させる。
【発明の効果】
【０００４】このような方法で硬化した布地は気温や湿度等の気候の変更にも左右されること無く、又角度や曲線等、表情をしっかりと付けることが出来、立体的に組み立て、長きにわたって変化、型崩れということは無く、部屋の装飾としての額画として楽しめる。
【発明を実施する形態】
【０００５】同じ柄を４枚から５枚くらいを利用し、花弁や鳥の部分部分を切り抜いて表情をつけて重ねて固定してゆき、制作します。この方法ではやわらかな中にも奥行きのある立体的な額画の制作が可能になる。額画で壁にかけ、ガラスでカバーしているので、アートフラワーのように埃をかぶる、場所的に邪魔になることはない。
(57)【要約】      （修正有）【課題】多機能情報端末の機能を制限できるビルトイン型コントロールスイッチと、それを用いた自動車に関するもので、多機能情報端末の車内利用を安全に行えるようにする。【解決手段】多機能情報端末を操作できるコントロールスイッチを安全が確保された、指先がスイッチに置けるダッシュボードに埋め込む方式で設置する。コントロールスイッチをダッシュボードに埋め込む方式、ビルトイン型にすることで、インテリアのデザイン性を崩すことなく、コントロールスイッチを装備できる構成を有し、多機能情報端末に触れることなく、安全かつ快適に、多機能情報端末の機能を操作できるようになる。【選択図】図２
2016137885.tif 000002
【特許請求の範囲】
【請求項１】
多機能情報端末の機能を操作するビルトイン型コントロールスイッチ。
コントロールスイッチは、運転者が運転中に手が届く、ダッシュボード手前側に備え付けられ安全かつ快適に、制限された多機能情報端末の機能を操作できるようになる。
ダッシュボードにビルトインすることにより、デザイン性を崩すことなく機能を装備できる。
【発明の詳細な説明】
【技術分野】
【０００１】本発明は、多機能情報端末向け、ビルトイン型コントロールスイッチと、それを用いた自動車に関するものである。
【背景技術】
【０００２】多機能情報端末は機能向上に伴い、車内においてもナビでの利用、音楽再生、音声通話の需要が大きくなっている。【０００３】
【発明の概要】
【発明が解決しようとする課題】
【０００４】近年、車内で、走行中に多機能情報端末の機能利用することが多くなっているが、この場合の、走行中の操作が、安全上問題になっている。【０００５】本発明は、走行中においても、多機能情報端末利用を、安全に行えるようにする事を目的とするものである。
【発明が解決するための手段】
【０００６】近年増えている多機能情報端末を固定する装置を用いて設置された多機能情報端末や、車内に持ち込まれた多機能情報端末とを、有線、もしくは無線にて、多機能情報端末の機能を限定操作できるコントロールスイッチと接続する。コントロールスイッチは、運転者が運転中に操作できる安全性が確保された車両のダッシュボードに装着される構成とし、これにより所期の目的を達成するものである。
【発明の効果】
【０００７】コントロールスイッチは、運転者が走行に支障のない操作に限定して構成する。
オーディオ向けには、再生、停止、音量アップ、音量ダウン、音声通話向けには、ハンズフリースイッチなどを運転者が容易に操作できる配置にする。
【０００８】運転に支障のない場所へコントロールスイッチを設置することが必要なため、運転者の手が届くダッシュボード手前側に設置し、かつデザイン性を損なうことのないように、埋め込みビルトイン型とする。運転中、運転者は、多機能情報端末に触れることなく、多機能情報端末の限定機能を使用することができる。
【図面の簡単な説明】
【０００９】
【図１】本発明の一実施形態の多機能情報端末とコントロールスイッチを搭載可能な自動車を示す図
【図２】コントロールスイッチに左手指先を置く図
【図３】アンプ接続時の制御ブロック図
【図４】コントロールスイッチの機能割り当て図
【図５】コントロールスイッチのダッシュボードビルトイン
【図６】多機能情報端末ダッシュボード設置
【発明を実施するための形態】
【００１０】以下、本発明の一実施形態を、添付図面を用いて説明する。
（実施の形態１）
図１において、１は車両の一例として用いた自動車で、その車内２の前方には運転席３と助手席４が設けられている。
【００１１】また、運転席３の前方にはハンドル６が配置され、さらに運転席３と助手席４の間にはセンターコンソールが配置されている。
【００１２】多機能情報端末は、ダッシュボード７やセンターコンソール５などの場所に任意に置かれたり、装着される。
【００１３】コントロールスイッチは、図６の、運転者の手が容易に届き、操作が行えるダッシュボード７に、右ハンドル車の場合は、運転者の左手の指先がコントロールスイッチ上に容易に置け、操作できる場所に設置される。左ハンドル車の場合は、運転者の右手の指先で操作する。
【００１４】図４のコントロールスイッチの機能の割り当ては、オーディオアンプの例では、電源オン、オフ８、ボリュームアップ９、ボリュームダウン１０、再生、停止１１、ハンズフリー通話１２のようにスイッチを押すと機能する。
【００１５】コントロールスイッチに割り当てられた機能以外の操作は、できないことから、多機能情報端末の機能を制限できる。
【００１６】コントロールスイッチの機能割り当てを変更することで、よく使用する機能の操作スイッチとして機能制限をすることが可能。例えば、再生、停止１１の機能をカメラのシャッター操作機能に変更する。
ナピゲーションの縮小、拡大、アプリケーションの起動などに利用する。
【００１７】コントロールスイッチの機能の割り当ては、安全な走行を確認できる機能に絞ることが求められるが、それが確保される限りにおいて自由である。
【００１８】コントロールスイッチの設置場所は、図２のダッシュボードに設置され、運転者が、運転中に容易に操作できる前方に配置される。
【００１９】リモコン型スイッチをダッシュボードに設置する例はあるが、外れる危険があったり、デザイン性を損なうことがあるため図５のコントロールスイッチは、ダッシュボードパネル裏側から固定し、スイッチ部分だけが、型抜きされたダッシュボードの、該当箇所から飛び出すカタチである。ダッシュボード表面から見える部分は、操作部分のみとなり車両デザインを損なうことなく、配置できる。
【符号の説明】１．車両
２．車内
３．運転席
４．助手席
５．センターコンソール
６．ハンドル
７．ダッシュボード
８．電源オン、オフ
９．ボリュームアップ
１０．ボリュームダウン
１１．再生、停止
１２．ハンズフリー
【図１】
2016137885.tif 000003
【図２】
2016137885.tif 000004
【図３】
2016137885.tif 000005
【図４】
2016137885.tif 000006
【図５】
2016137885.tif 000007
【図６】
2016137885.tif 000008
(57)【要約】      （修正有）【課題】しょうゆの味の劣化を防ぎ酸化を防止するために、空気に触れないようにする卓上しょうゆ差しを提供する。【解決手段】内部に上昇水路４とその先端部に注ぎ口３を設けたプランジャー２を、シリンジ１内に挿入して押し下げることで残留空気を抜き、シール面は硬度の柔らかいゴムを内側にしてクッション効果を持たせて、それより硬くて滑りの良いゴムを外側に配した二重構造を二段階設けて軽い滑りと密閉性を持続的に確保する構造にしたプランジャーを使用する分だけ押し下げることでしょうゆを注いで使用する。【選択図】図１
2016137222.tif 000002
【特許請求の範囲】
【請求項１】
硬度の柔らかいゴム又は同等の柔らかさを持った形状を内側にしてそれより硬くて滑りの良いゴムを外側に配した二重構造のシール面を二段階設け、さらに内部に上昇する水路とその先端部に注ぎ口を設けたプランジャーを、シリンジ内に挿入して残留空気を抜き、さらに使用する分だけ押し下げて抽出することで、常に中身を空気に触れないようにして使用するしょうゆ差し。
【発明の詳細な説明】
【技術分野】
【０００１】  本発明は、しょうゆの酸化を防ぎ味の変化を軽減するために、空気に触れないようにした密封型の卓上しょうゆ差しに関するものである。
【背景技術】
【０００２】  しょうゆの味の変化を防ぎ酸化を防止するためには、空気に触れないようにする方法が良い。従来市販されるしょうゆは加熱処理をしたり防腐剤を入れてその味の変化を防いでいた。最近は加熱処理のしていない生しょうゆも出回ってきており、このしょうゆの専用容器は空気に触れない構造としてまた販売上も優れているが、食卓上に置き、食事を楽しみ雰囲気を大事にするためには満足できるものではない。【０００３】  この目的を達成できるものでは注射器が優れている。しかし注射器ではしょうゆを吸い上げて入れなければならない。このためには吸い上げ用のホースが必要となり、市販のしょうゆ容器内に突っ込んで使用しなければならない。このホースのメンテナンスや保管は面倒で、衛生管理上も問題がある。【０００４】  そこでしょうゆをシリンジ内に上側から入れようとするとシリンジ内に空気が残り不向きである。また作業中はその際に出口を塞いでおく必要がある。さらに注射器では自立して置くことができず、横倒しになってしまう。
【先行技術文献】
【特許文献１】
【０００４】不明
【特許文献】
【非特許文献】
【０００５】
【非特許文献１】なし
【発明の概要】
【発明が解決しようとする課題】
【０００６】  解決しようとする問題点は、しょうゆを上側からシリンジ内に入れてプランジャーを挿入するには出口を塞いでおく必要がある。また出口を塞ぐとシリンジ内の空気を抜く方法が無いことである。さらに密封性を確保するシール材がしょうゆのこびりつきなどで水鉄砲のような急激な動きをしがちになることである。また注ぎ口を下にしては立てておくことができないため横倒しになることである。
【発明が解決するための手段】
【０００７】  本発明は、内部に上昇する水路とその先端部に注ぎ口を設けたプランジャーを、シリンジ内に挿入して押し下げることで残留空気を抜き、そのままプランジャーを使用する分だけ押し下げることでしょうゆを注いで使用する構造である。またプランジャーのシール面は硬度の柔らかいゴムを内側にしてクッション効果を持たせて、それより硬くて滑りの良いゴムを外側に配した二重構造にしてシリンジ内面へのシール性を確保すると共に軽い力で作動するようにしたことである。しょうゆのシリンジ内へのこびりつきによる急激な動きを防止し、さらにそれを二段階設けることでプランジャーの傾きを軽減し滑りと密閉性を持続的に確保する構造である。尚、このシール材は２種類の材質の一体化されたもの、または同じ効果を生ずるようなクッション効果を内側に持たせた断面形状のものでもよい。シリンジは透明材料で作成し、しょうゆと残留空気が確認できるようにする。
【発明の効果】
【０００８】  本発明のしょうゆ差しは、空気抜き構造をプランジャー内に設けることにより、しょうゆを簡単に入れることができ空気抜きも連続して簡単にできる。さらに横置きにせずに卓上に立てて置ける利点がある。注ぎ口がシリンジの下に無いので温度変化による注ぎ口からの滴下も無く、空気も入らないので酸化を防止し、しょうゆの劣化を防ぐ効果がある。おいしさが持続でき、食卓の雰囲気をそこなうことのないしょうゆ差しが提供できる。またしょうゆを任意の適量を入れることができるため少ない量でも入れることが可能である。この構造はしょうゆに限らず液状の調味料全般に適用できる。
【図面の簡単な説明】
【０００９】
【図１】  しょうゆ差しの実施方法を示した断面図。
【図２】  しょうゆ差しの実施方法を示した別の実施例の断面図。
【発明を実施するための形態】
【００１０】  硬度の柔らかいゴムを内側にしてそれより硬くて滑りの良いゴムを外側に配した二重構造のシール面を二段階設け、内部に上昇する水路とその先端部に注ぎ口を設けたプランジャーと、シリンジから成る。プランジャーをシリンジ内に挿入して残留空気を抜いて、そのまま使用する分だけ押し下げて常にしょうゆを空気に触れないようにして使用する。
【実施例１】
【００１１】  「実施形態の効果」
この実施形態は、しょうゆをシリンジに入れる際に漏れも無く適量を入れて、残留空気を簡単に抜き、使用する分だけ押して抽出できるもっとも少ない部品構成である。しょうゆは入れたあと空気に触れることがなく、劣化を防ぐことができる。
【符号の説明】
【００１２】１  シリンジ
２  プランジャー
３  注ぎ口
４  上昇水路
５  軟質シール材
６  硬質シール材
７  ソーサー
８  しょうゆ
【図１】
2016137222.tif 000003
【図２】
2016137222.tif 000004
(57)【要約】      （修正有）【課題】ごく標準的な傘が緊急時建物の高層部、低層部を問わず安全かつ簡単に落下避難が洋画「メリーポピンズ」で見たような傘を提供する。【解決手段】傘の取っ手、柄、骨の部分、傘生地７を改良し、段化式の軟硬に使い分けしたチューブ管を利用し傘径の長短を自在にし、又、開傘時、傘に傾斜角度を設ける事で緊急時、風に左右されず前方向、更に左右の方向性を持たせる事が出来る緊急避難用の標準傘形状の落下用具とする。【選択図】図１
2016137223.tif 000002
【特許請求の範囲】
【請求項１】
段化式チューブ管を用いる事により開傘、閉傘時の簡易性及び骨部の長短自在性
【請求項２】
開傘時に前方中心及び左右に傾斜角を持たせる事による落下時の方向性及び落下速度の調整
【発明の詳細な説明】
【技術分野】
【０００１】  本発明は普通の傘の生地、取っ手、柄、スチール骨に工夫を施し緊急時、せまい非常階段やベランダからでも本傘の使用により方向性や落下速度が調整できるため安全かつ簡単に建物外へ避難できる形状的には普通の傘で安全落下を主目的とする改良技術に関する。
【背景技術】
【０００２】  従来からある落下傘では直径も大きく開傘に時間もかかり落下距離も必要である、先日自衛隊での低空時にての落下訓練を見る機会があった（津田沼基地）その折の見分では落下と同時に開くのだが開傘まで３〜４秒かかり開傘の直径も４〜５ｍ程と思える。又、風任せであり高層建物での避難用具としては全く用をなさない、又、避難シューター等は到着準備に時間がかかり、１人づつ降りなければならない、その為全員の脱出には時間がかかる。
【特許文献１】  特開２０１３−１７２９３７
【発明が解決しようとする課題】
【０００３】  折り畳み傘の様に旅行に出かけた時でも簡単に持ち運びができ、各家庭人数分購入しても費用も安く高層住宅、低層住宅用の避難落下傘ができないか研究模索した。
【課題を解決するための手段】
【０００４】  折り畳み傘の様にコンパクトにする為、取っ手は１０ｃｍ径程度の円形硬質材を使用、同２段式とした、これだと伸びた時、頭上のすこし上まで行くので２段目に紐をつける事ができる、又、その径内部に３０ｃｍ程度の半硬質チューブ管を２本段化式にしてこれが柄となる、その内部に同様段化式軟質チューブ管３本を取り付け、今回は最先端部はチューブ管にはせず軟式棒を取り付けた、これは開傘した後方向性を持たせる為、手動にて引き出す事が出来る為、落下の方向性を持たせる事が出来る。又、８本のチューブ管、骨部は前方中心の骨の両側２本、計３本の紐に横紐を結びつければ使用者本人が手で下に引けば角度の調整ができ、安全な所までいけばその折また戻せば落下速度は遅くなる、これは落下空圧の空気容積が多いか少ないかの実に単純な原理を用いただけの話である、８本骨なら前方後方、右左が自在になり１６本骨なら北東、南西等８方向性が可能となる、又、産業的技法を用いれば紐をリール等用いる事でリモコン操作も可能となる。
【発明の効果】
【０００５】  開傘は注気、吸気にて簡単に出来る為、又、大人なら自分の息でも出来る、結果、緊急時安全に建物からお年寄り、子供でも簡単に避難でき、又、持ち運びも簡単な一家に人数分用意しても費用も少なくて済む、雨傘としても使える落下用防災傘である。
【発明を実施する為の最良の形態】
【０００６】  今回は材料が少し加工するだけで済むので大型ホームセンターでも調達できるので十分な実験が出来た、まず、市販の使い捨て傘で３０ｋｇのコンクリートブロックを十字に巻きつけて取っ手に括り付けた開傘直径は１ｍ程度である。ただし落下空圧にて逆さ形状を防ぐため骨の先端と取っ手を紐で結んでの実験である。前方中心の骨と両側計３本に紐を短くして、傾斜角１０度程度で実験したところ３階から（６ｍ）の落下でも１ｍ程度前方に落下、６階では（１２ｍ）３ｍ程度前方で落下した、落下速度も十分に下がっていった。次に開傘径１．４ｍ程度の大型傘にして実験、３階からでは１．５ｍ程度前方に落下、６階からでは５ｍ前方と差が出た、これは落下速度に違いが出た為と思われる、ただこの実験において技術改良の必要性が認められた。
【０００７】  使い捨て傘の複数回の実験において骨部と傘生地のつなぎ部が壊れ、生地と骨が分離し、連鎖反応が起こった、その為実験にならなかった、この結果、本実験にては骨の下に傘生地を取り付けた、又、骨の先端部と取っ手をつなぐ紐は独立２重３重とした、実験においては紐の長短にて角度を設け、傘直径が１．６ｍ程度にした、実験は前方向３本と、前方３本右３本（１本重複）前方３本左３本にて行った。使用した傘生地は建築現場などに使用する防災シートを加工、無理に正絹キャノピー等を使用しないでもよいただし防火生地が望ましい、当然ながら前方、右斜め、左斜めとに分かれ落下の方向性が得られた、直径２０ｃｍ程度の違いでも落下地点での着地速度、その距離面にて大きな違いが認められた、又、実用化にあたり取っ手部に腹ベルト、胸ベルトの取り付けが必要である、老人、子供では握力も弱く数百ｍからの落下では手を放してしまうから、又、旅先の高層ホテル等で万一の時にそなえバックにかさばる事無く持ち運べ急な雨にも対応出来る。こうした構造特性によりパーツ、パーツごと専門工場で作れる為普及が早いし個人でさえ組み立てが出来ると言っても過言ではない夢の傘である。
【産業上の利用分野】
【０００８】  つい昨年、傘での自転車使用を禁じていなかった長野県でも条例違反に踏み切った、しかしながら依然として傘をさして自転車に乗っている人が多くいる、ただスチール骨であるため転倒したり人と接触したりすると非常に危険である、したがってこの構造特性を利用して、多雨量でも傘径の長短が自由で安全なポケット空気傘での活用が可能である、取り付けは男性なら頭の帽子として、女性なら背ベルトを用いればよい、一番マッチするのはアタッチメントを用いてハンドルのセンターでの取り付けであろう、又、商品申請としては雨帽子、あるいは傘生地の先端に垂れ生地を設け、雨がっぱとして、あるいは雨ポンチョ等にて申請すれば問題は無いし、もちろん携帯用雨傘としても使える。
【０００９】  利便性が増すことで暗記力が落ちる傾向があり、パソコン・スマホ等の操作上でのスキルは増すが学問面での吸収においては問題も残る、本傘をゲーム応用する事でピンポイント着地ゲーム等にした時地上の画面を自宅周辺、日本、世界の景勝、観光地等を設定し風速、風向き等をゲーム要素に取り入れる事で大変エキサイティングなゲームになり、地図の勉強にもなると思われる。
【図面の簡単な説明】
【００１０】
【図１】取っ手の断面図
【図２】傘の上部図
【符号の説明】
【００１１】１．硬質取っ手（外）  ２．硬質取っ手（内）  ３．半硬質チューブ管（段化式柄部）  ４．軟質チューブ管（段化式骨部）  ５．軟質先端棒  ６．紐  ７．傘生地  ８  柄部上蓋  ９  空気穴  １０  ゴム弁  １１  各所パッキン
【図１】
2016137223.tif 000003
【図２】
2016137223.tif 000004
(57)【要約】【課題】高齢者、或いは手足に不自由の出ている人が紐靴、べろのある靴を履く場合、しゃがみこむ事無く立ったままで、靴ひもや前部分のべろを捲き込む事無くスムーズに履けることを課題としている。【解決の手段】柄付の靴ベラの先端部分、下から７センチ前後の辺りを上に折れ曲がれるようにすることで、まず靴前部分にあてがい、前部分を履き、その後踵を入れ込みをサポートとする。前後どちら側も立ったままでの作業が出来るようになる。【選択図】図１
2016137221.tif 000002
【特許請求の範囲】
【請求項１】
柄付き靴ベラの下方７センチ前後の辺りを折れ曲がれるようにした靴ベラの提供
【発明の詳細な説明】
【技術分野】
【０００１】前方にべろのある靴、又、紐のある靴を履く場合、前のべろや紐部分を中に押しこめることなく、そして、従来通りに踵をもサポートする柄付の靴ベラに関する分野
【発明の概要】
【発明が解決しようとする課題】
【０００２】前にべろ部分がある靴、或いは紐部分のある靴を履く場合、前にかがみこんで前べろ部分や紐部分を抑えたり引っ張ったりしながらつま先を入れていき、少し挿入できたら今度は踵を入れ込むために靴ベラを使うことが通常である。しかし、年を重ねてきたり、身体的に足や手に不自由が生じてきた場合は自然とつま先に力がなくなって来、丸まりがちとなり、その簡単な動作が難しくなって来る。又、抑えるためにしゃがみこむのも億劫になってくることが多くあります。それらの理由から立ったままでスムーズに靴を履ける手段を考えた。
【課題を愛決するための手段】
【０００３】柄付の靴ベラを下方７センチ前後の辺りを上側に折れ曲がるようにする。
【発明の効果】
【０００４】この靴ベラを使用し、先ず靴の紐部分や前べろ部分の下、靴内側に折り曲げた靴ベラの先をあてがい、先ず爪先部分の挿入をサポートし、その後、伸ばして踵にあてがい、踵の挿入をサポートする。これで前部分のべろ等を捲きこむ事なく、立ったままで靴をスムーズに履くことができる。
【発明を実施するための形態】
【０００５】通常のプラスチック製或いは木製の柄付の靴ベラをさまざまな方法でつま先部分下から７センチくらいのところから折れ曲がるようにするだけで、折れ曲がる方法としては蝶番、差し込み式等、様々で溝を入れるなど簡単な方法で製作できる。
【図面の簡単な説明】
【０００６】
【図１】側面図
【図２】平面図
【図３】斜視図
【図１】
2016137221.tif 000003
【図２】
2016137221.tif 000004
【図３】
2016137221.tif 000005
(57)【要約】【課題】  取り扱いが簡単でよりスピーデイに扱える、半円角型ボルトを提供する。【解決手段】大小に作れて大いに役立つボルトであり、応用範囲も多種多様に広く扱えるヒット商品になり、実用化にかなりの意欲を示す発明品であることを特徴とする。【選択図】図１
2016033416.tif 000002
【特許請求の範囲】
【請求項１】
角型に半円を儲けた半円角型ボルトである。
日本国中というのは、工業が世界的に優れ、国の唯一の産業基盤である為である。
【発明の詳細な説明】
【技術分野】
【０００１】この発明は、半円と角型が組み合わさったボルトに関するものである。
【技術背景】
【０００２】従来、ボルトは半円と角型が別々になっていた。
【先行技術文献】
【特許文献】
【０００３】
【特許文献１】
【発明の概要】
【発明が解決しようとする課題】
【０００４】これは次のような欠点があった。
（イ）ネジの山が傷つきどうすることができないでいた。
（ロ）工具が中々入らない、空振りで落下することが多くありました。
本発明は、以上のような欠点をなくするためになされたものである。【０００５】図１の平面図、図２の側面図のボルトからなり、強度にも優れ、取り扱いが非常に簡単であります。
本発明は、以上の構成よりなる半円角型ボルトである。
【発明の効果】
【０００６】（イ）小型、軽量、安価、機動性に富、取り扱いがとてもスムーズに行えます。
（ロ）ロードランナー的思考により長時間の過酷なラリーのような使用にも必ず扱え、使うのになんらさしつかえない。
【図面の簡単な説明】
【０００７】
【図１】本発明の平面図である。
【図２】本発明の側面図である。
【発明を実施するための形態】
【０００８】以下、本発明を実施するための形態について説明する。
各種工業製品、食料品の工場、船舶、日曜大工用品、各種工作機械の部品に大変良く使用され、この経済の活性化、生活必需品のボルトにより多く使用されつずけます。
これを使用するときは、フリーハンドを使用し、それから工具でしめます。よりスピーディに取りある扱うことができます。
【符号の説明】
【０００９】図１  平面図
図２  側面図
【図１】
2016033416.tif 000003
【図２】
2016033416.tif 000004